(57)【要約】【課題】  車両の外部に、車両が非稼働状態にあり運転者が搭乗していないにもかかわらず動き出した危険な状態であることを報知する車両用警報装置を提供する。【解決手段】  本発明に係る車両用警報装置１は、車両の走行速度に応じた信号を出力する車速検出手段２と、車両の利用者の操作に基づいて前記車両の稼働／非稼働を切り替える操作手段３と、車両が停車していないことを車両外に報知する報知手段６と、操作手段３によって車両が非稼働状態である場合に報知手段６に報知させる制御手段５と、車両の利用者が車両に搭乗しているか否かを判定する搭乗者判定手段４と、を備え、車速検出手段２と操作手段３と搭乗者判定手段４に基づいて、非稼働状態にあり停車状態にない車両に利用者が搭乗していない場合に、車外にその旨を報知する。【選択図】  図２
2015217801.tif 000002
【特許請求の範囲】
【請求項１】
車両の走行速度に応じた信号を出力する車速検出手段と、
前記車両の利用者の操作に基づいて前記車両の稼働／非稼働を切り替える操作手段と、
前記車両が停車していないことを報知する報知手段と、
前記操作手段によって前記車両が非稼働状態である場合に前記報知手段に報知させる制御手段と、
を備えた車両用警報装置であって、
前記車両の利用者が前記車両に搭乗しているか否かを判定する搭乗者判定手段を備え、
前記報知手段は、前記車両外に報知するものであり、
前記制御手段は、前記搭乗者判定手段と前記車速検出手段からの信号に基づいて判定処理し、前記車両の利用者が前記車両に搭乗していない場合、且つ、前記車両が停車していない場合に、前記報知手段に報知させる
ことを特徴とする車両用警報装置。
【請求項２】
前記報知手段は、車両に備え付けられた車外灯または警笛である
ことを特徴とする請求項１に記載の車両用警報装置。
【請求項３】
前記報知手段は、携帯端末である
ことを特徴とする請求項１に記載の車両用警報装置。
【発明の詳細な説明】
【技術分野】
【０００１】
本発明は、自車両の状態を車外に警報する車両用警報装置に関する。
【背景技術】
【０００２】
従来、イグニッションスイッチがオフ状態であっても、走行速度を含む走行状態を車両の利用者に知らせると共に、車両が停車していないことを「車が動いています」などの音声や表示によって報知するものが特許文献１に開示されている。
【先行技術文献】
【特許文献】
【０００３】
【特許文献１】特開２０１０−１６４７８号公報
【発明の概要】
【発明が解決しようとする課題】
【０００４】
しかしながら、例えば、急峻な坂道に停車させた車両において、運転者が離れてしまった後に意図せず車両が動いてしまった場合、車両の外部に当該車両が意図せず動いてしまっている危険車両であることを報知することにおいて改善の余地があった。
【０００５】
本発明は、上述した課題を鑑みてなされたものであり、車両の外部に、車両が非稼働状態にあり運転者が搭乗していないにもかかわらず動き出した危険な状態であることを報知する車両用警報装置を提供することを目的とする。
【課題を解決するための手段】
【０００６】
本発明に係る車両用警報装置は、
車両の走行速度に応じた信号を出力する車速検出手段と、
前記車両の利用者の操作に基づいて前記車両の稼働／非稼働を切り替える操作手段と、
前記車両が停車していないことを報知する報知手段と、
前記操作手段によって前記車両が非稼働状態である場合に前記報知手段に報知させる制御手段と、
を備えた車両用警報装置であって、
前記車両の利用者が前記車両に搭乗しているか否かを判定する搭乗者判定手段を備え、
前記報知手段は、前記車両外に報知するものであり、
前記制御手段は、前記搭乗者判定手段と前記車速検出手段からの信号に基づいて判定処理し、前記車両の利用者が前記車両に搭乗していない場合、且つ、前記車両が停車していない場合に、前記報知手段に報知させる。
【０００７】
また、好ましくは、本発明に係る車両用警報装置の前記報知手段は、車両に備え付けられた車外灯または警笛である。
【０００８】
また、好ましくは、本発明に係る車両用警報装置の前記報知手段は、携帯端末である。
【発明の効果】
【０００９】
本発明によれば、車両の外部に、車両が非稼働状態にあり運転者が搭乗していないにもかかわらず動き出した危険な状態であることを報知する車両用警報装置を提供することができる。
【図面の簡単な説明】
【００１０】
【図１】本発明の実施形態である車両用警報装置の電気的構成図。
【図２】同実施形態である車両用警報装置の制御フローチャート図。
【発明を実施するための形態】
【００１１】
以下、添付図面に基づいて、本発明の実施形態を説明する。
【００１２】
本発明に係る車両用警報装置１は、車速検出手段２と、操作手段３と、搭乗者判定手段４と、制御手段５と、ブザー６０と、警笛６１と、車外灯６２と、携帯端末６３と、を備える。車両用警報装置１は、車速検出手段２と操作手段３と搭乗者判定手段４からの入力情報を基に、制御手段５がブザー６０，警笛６１，車外灯６２，携帯端末６３からなる報知手段６に報知させることで、車両に搭乗者が搭乗しておらず、非稼働状態であるときに車両が走行してしまったことを報知する。
【００１３】
車速検出手段２は、車両の車輪回転に応じた信号を制御手段５に出力するセンサである。
【００１４】
操作手段３は、例えば、イグニッションスイッチのオン／オフ操作に基づいて、車両の各機器への電源供給を切り替える操作スイッチからなり、車両利用者が操作手段３を操作することによって、車両の稼働／非稼働を切り替えることができる。
【００１５】
搭乗者判定手段４は、例えば、着座シートに加わる圧力の強度を検出するセンサの入力に基づいて、着座シートに所定値以上の圧力が所定時間かかった状態を搭乗者が存在すると判定する判定手段である。搭乗者判定手段４は、少なくとも車両の運転席に備え付けて運転者が搭乗しているか否かを判定する。
【００１６】
制御手段５は、所定プログラムや各種データの格納、演算時の記憶領域などに用いるＲＡＭ，ＲＯＭなどの記憶装置と、前記所定プログラムに従って演算処理するためのＣＰＵなどで構成したマイクロコンピュータからなる。
制御手段５は、図２のフローチャートに示すように、車速検出手段２と操作手段３からの信号に基づいて、車両が非稼働状態であり、且つ、車両が停車していないか否かを判定処理する（Ｓ１）。車両が非稼働状態であり、且つ、走行していると判定された場合（Ｓ１：Ｙ）、制御手段５は、搭乗者判定手段４によって、車両に搭乗者が存在するか否かを判定処理する（Ｓ２）。車両に搭乗者がいないと判定された場合（Ｓ２：Ｙ）、制御手段５は、報知手段６によって車両の外部に、車両が非稼働状態にあり運転者が搭乗していないにもかかわらず動き出した危険な状態であることを報知し、外部に危険を促す。
【００１７】
次に、報知手段６による報知例を示す。
【００１８】
報知手段６は、例えば車両内に搭載された表示装置（例えばメータやセンターコンソール）に内蔵された音を発する吹鳴装置からなるブザー６０に適用することができる。制御手段５は、車内にあるブザー６０の吹鳴音を車外にも聞こえるようにするため、ブザー６０が搭載される表示装置で予め設定された音量に関わらず、最大音量でブザー６０を吹鳴させる。なお、制御手段５は、ブザー６０の吹鳴と連動して、車両の窓を開くように制御してブザー６０の吹鳴が外部に良く響くように構成すると尚良い。
【００１９】
また、報知手段６は、例えば、車両に搭載されたクラクションからなる警笛６１に適用することができる。制御手段５は、車両が非稼働状態にあり運転者が搭乗していないにもかかわらず動き出している状態である限り警笛６１を吹鳴させる。
【００２０】
また、報知手段６は、例えば、車両に搭載されたヘッドライトやバックライト、およびハザードランプからなる車外灯６２にも適用することができる。制御手段５は、車両が非稼働状態にあり運転者が搭乗していないにもかかわらず動き出している状態である限り、車外灯６２を点滅させることで、車両の外部に、車両が非稼働状態にあり運転者が搭乗していないにもかかわらず動き出した危険な状態であることを報知する。
【００２１】
また、報知手段６は、例えば、任意の無線通信規格で制御手段５と通信可能な携帯端末６３にも適用することができる。制御手段５は、車両が非稼働状態にあり運転者が搭乗していないにもかかわらず動き出している状態となると、携帯端末６３に無線通信により車両が非稼働状態にあり運転者が搭乗していないにもかかわらず動き出している状態であることを伝え、携帯端末６３は、当該状態を音や表示、または振動によって報知する。なお、携帯端末６３は、例えば、携帯電話であってもよいし、車両のドアの開錠／施錠を行う鍵に備え付けることができるアクセサリ機器として構成することが運転者が車両を離れた際に、運転者に報知を行う点で好ましい。
【００２２】
上述した構成をとることで、車両が非稼働状態にあり運転者が搭乗していないにもかかわらず動き出した危険な状態を、車両から離れた運転者や、車両周囲の通行者等に報知することができる。
【００２３】
また、制御手段５は、報知手段６による報知の解除条件として、例えば、携帯端末６３にボタン操作などによる解除操作手段を備えて、前記解除操作手段の操作に応じて解除するものとしても良い。
【産業上の利用可能性】
【００２４】
本発明は、例えば、自動車やオートバイ、あるいは農業機械や建築機械を備えた移動体に搭載される車両情報の表示装置として好適である。
【符号の説明】
【００２５】
１    …車両用警報装置
２    …車速検出手段
３    …操作手段
４    …搭乗者判定手段
５    …制御手段
６    …報知手段
６０  …ブザー
６１  …警笛
６２  …車外灯
６３  …携帯端末
【図１】
2015217801.tif 000003
【図２】
2015217801.tif 000004